【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
創傷監視および／または治療システムであって、
創傷と接触して位置付けるように構成された創傷被覆材であって、１以上の創傷特性を測定するように構成された複数のセンサを含み、複数の前記センサはセンサストリップまたはセンサのストリングに配置される、創傷被覆材と、
複数の前記センサの第一のセンサの前記創傷内の位置および／または配向を示すように構成された少なくとも一つの位置決めデバイスと、
位置決めデータに基づいて、複数の前記センサの前記第一のセンサの前記創傷内の前記位置および／または配向を決定するように構成された検出器と、
を備える、創傷監視および／治療システム。
【請求項２】
前記複数のセンサが、少なくとも一つのナノセンサ、サーミスタ、伝導度センサ、ＳｐＯ２センサ、ｐＨセンサ、色センサ、光学センサ、インピーダンスセンサ、または電極を含む、請求項１に記載のシステム。
【請求項３】
前記光学センサが、赤、緑、青、および透明（ＲＧＢＣ）センサまたは赤、緑青、および白（ＲＧＢＷ）センサのうちの少なくとも一つを備える、請求項２に記載のシステム。
【請求項４】
複数の前記センサがセンサストリップ上に配置されている、請求項１〜３のいずれかに記載のシステム。
【請求項５】
少なくとも一つの前記位置決めデバイスが、前記センサストリップに取り付けられているか、またはその中に統合されている、請求項４に記載のシステム。
【請求項６】
複数の前記センサがセンサのストリング上に配置されている、請求項１に記載のシステム。
【請求項７】
少なくとも一つの前記位置決めデバイスが、センサのストリングと無線通信するように構成される、請求項６に記載のシステム。
【請求項８】
少なくとも一つの前記位置決めデバイスが、センサのストリングと電気通信するように構成される、請求項６に記載のシステム。
【請求項９】
前記検出器は、少なくとも受信した前記位置決めデータと、前記創傷被覆材および／または少なくとも一つの前記位置決めデバイスの前記創傷内の位置および／または配向と第一のセンサとの間の関係と、に基づいて、複数の前記センサの前記第一のセンサの前記創傷内の前記位置および／または配向を決定するように構成されたコントローラを備える、請求項１〜８のいずれかに記載のシステム。
【請求項１０】
前記関係が、前記位置決めセンサと前記第一のセンサとの間の少なくとも既知の位置および／または配向オフセットを含む、請求項９に記載のシステム。
【請求項１１】
少なくとも一つの前記位置決めデバイスの一部が、前記創傷の外側に位置付けられている、請求項１〜１０のいずれかに記載のシステム。
【請求項１２】
少なくとも一つの前記位置決めデバイスが、位置決め情報を通信するように構成された少なくとも一つのマーキングを備える、請求項１〜１１のいずれかに記載のシステム。
【請求項１３】
少なくとも一つの前記マーキングが、バーコード、数字、文字、英数字コード、標準形状、不規則形状、またはロゴのうち少なくとも一つを含む、請求項１２に記載のシステム。
【請求項１４】
前記創傷被覆材が、前記創傷に陰圧を伝達するように構成されている、請求項１〜１３のいずれかに記載のシステム。
【請求項１５】
請求項１４に記載の創傷被覆材および前記創傷被覆材に流体接続されるよう構成される陰圧源を含む、キット。
【手続補正２】
【補正対象書類名】明細書
【補正対象項目名】０２９６
【補正方法】変更
【補正の内容】
【０２９６】
本開示の範囲は、特定の実施形態の説明によって制限されることは意図されておらず、請求項によって定義されてもよい。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷監視および／または治療システムであって、
創傷と接触して位置付けるように構成された創傷被覆材であって、一つまたは複数の創傷特性を測定するように構成された複数のセンサを含み、前記複数のセンサはセンサストリップまたはセンサのストリングに配置される、創傷被覆材と、
前記複数のセンサの第一のセンサの前記創傷内の位置および／または配向を示すように構成された少なくとも一つの位置決めデバイスと、
前記位置決めデータに基づいて、前記複数のセンサの前記第一のセンサの前記創傷内の前記位置および／または配向を決定するように構成された検出器と、を備える、創傷監視および／治療システム。
［付記項２］
前記複数のセンサが、少なくとも一つのナノセンサ、サーミスタ、伝導度センサ、ＳｐＯ２センサ、ｐＨセンサ、色センサ、光学センサ、インピーダンスセンサ、または電極を含む、付記項１に記載のシステム。
［付記項３］
前記光学センサが、赤、緑、青、および透明（ＲＧＢＣ）センサまたは赤、緑青、および白（ＲＧＢＷ）センサのうちの少なくとも一つを備える、付記項２に記載のシステム。
［付記項４］
前記複数のセンサがセンサストリップ上に配置されている、付記項１〜３のいずれかに記載のシステム。
［付記項５］
前記少なくとも一つの位置決めデバイスが、前記センサストリップに取り付けられているか、またはその中に統合されている、付記項４に記載のシステム。
［付記項６］
前記複数のセンサがセンサのストリング上に配置されている、付記項１に記載のシステム。
［付記項７］
前記少なくとも一つの位置決めデバイスが、センサのストリングと無線通信するように構成される、付記項６に記載のシステム。
［付記項８］
前記少なくとも一つの位置決めデバイスが、センサのストリングと電気通信するように構成される、付記項６に記載のシステム。
［付記項９］
前記検出器は、少なくとも前記受信した位置決めデータ、ならびに前記創傷被覆材および／または前記少なくとも一つの位置決めデバイスの前記創傷内の位置および／または配向と第一のセンサとの間の関係に基づいて、前記複数のセンサの前記第一のセンサの前記創傷内の前記位置および／または配向を決定するように構成されたコントローラを備える、付記項１〜８のいずれかに記載のシステム。
［付記項１０］
前記関係が、位置決めセンサと第一のセンサとの間の少なくとも既知の位置および／または配向オフセットを含む、付記項９に記載のシステム。
［付記項１１］
前記少なくとも一つの位置決めデバイスの前記部分が、前記創傷の外側に位置付けられている、付記項１〜１０のいずれかに記載のシステム。
［付記項１２］
前記少なくとも一つの位置決めデバイスが、位置決め情報を通信するように構成された少なくとも一つのマーキングを備える、付記項１〜１１のいずれかに記載のシステム。
［付記項１３］
前記少なくとも一つのマーキングが、バーコード、数字、文字、英数字コード、標準形
状、不規則形状、またはロゴのうち少なくとも一つを含む、付記項１２に記載のシステム。
［付記項１４］
前記創傷被覆材が、前記創傷に陰圧を伝達するように構成されている、付記項１〜１３のいずれかに記載のシステム。
［付記項１５］
付記項１４に記載の創傷被覆材および前記創傷被覆材に流体接続されるよう構成される陰圧源を含む、キット。
［付記項１６］
一つまたは複数の創傷特性を測定するよう構成されたセンサストリップまたはセンサのストリング上に配置された、複数のセンサを含む創傷被覆材を備える、創傷監視および／または治療システムを操作する方法であって、
前記創傷被覆材が前記創傷の上に位置付けられた時に、前記創傷被覆材内またはその上に位置付けられた位置決めデバイスから、前記創傷被覆材の上に位置付けられた検出器で位置決めデータを収集することと、
前記位置決めデータに基づいて、前記複数のセンサから第一のセンサの前記創傷内の位置および／または配向を、コントローラで決定することと、を含む、方法。
［付記項１７］
前記複数のセンサが、少なくとも一つのナノセンサ、サーミスタ、伝導度センサ、ＳｐＯ２センサ、ｐＨセンサ、色センサ、光学センサ、インピーダンスセンサ、または電極を含む、付記項１６に記載の方法。
［付記項１８］
前記光学センサが、赤、緑、青、および透明（ＲＧＢＣ）センサまたは赤、緑青、および白（ＲＧＢＷ）センサのうちの少なくとも一つを含む、付記項１７に記載の方法。
［付記項１９］
前記複数のセンサがセンサストリップ上に配置されている、付記項１６〜１８のいずれかに記載の方法。
［付記項２０］
前記位置決めデバイスが、前記センサストリップに取り付けられているか、またはその中に統合されている、付記項１９に記載の方法。
［付記項２１］
前記複数のセンサがセンサのストリング上に配置されている、付記項１６〜１８のいずれかに記載の方法。
［付記項２２］
前記位置決めデバイスが、前記センサのストリングと無線通信する、付記項２１に記載の方法。
［付記項２３］
前記位置決めデバイスが、前記創傷の上、中、またはその近くの一つまたは複数の光源から無線で情報を受け取るように構成された光学センサを備える、付記項２２に記載の方法。
［付記項２４］
前記位置決めデバイスが、前記センサのストリングと電気通信する、付記項２１に記載の方法。
［付記項２５］
少なくとも前記受信した位置決めデータ、ならびに前記創傷被覆材および／または前記位置決めデバイスの前記創傷内の位置および／または配向と前記第一および第二のセンサとの間の関係に基づいて、前記複数のセンサの第二のセンサの前記創傷内の位置および／または配向を、コントローラによって決定することをさらに含む、付記項１６〜２４のいずれかに記載の方法。
［付記項２６］
陰圧を前記創傷に伝達することをさらに含む、付記項１６〜２５のいずれかに記載の方法。
［付記項２７］
創傷監視および／または治療システムであって、
創傷に接触して位置付けるように構成される創傷被覆材と、
一つまたは複数の創傷特性を測定するように構成された複数のセンサを含む、センサタグ、ストリップ、またはストリングと、を備え、
前記センサタグ、ストリップ、またはストリングが、前記創傷または前記創傷を取り囲む領域のうちの少なくとも一つに位置付けるように構成される、創傷監視および／または治療システム。
［付記項２８］
前記複数のセンサが、少なくとも一つのナノセンサ、サーミスタ、伝導度センサ、ＳｐＯ２センサ、ｐＨセンサ、色センサ、光学センサ、インピーダンスセンサ、または電極を含む、付記項２７に記載のシステム。
［付記項２９］
前記光学センサが、赤、緑、青、および透明（ＲＧＢＣ）センサまたは赤、緑青、および白（ＲＧＢＷ）センサのうちの少なくとも一つを含む、付記項２８に記載のシステム。
［付記項３０］
前記センサストリップまたはタグは、前記創傷を取り囲む前記領域に位置付けるように構成された前記センサストリップまたはタグの一部を含む、付記項２７〜２９のいずれかに記載のシステム。
［付記項３１］
前記センサストリップまたはタグは、前記創傷内に位置付けるように構成された前記センサストリップまたはタグの一部を含む、付記項２７〜２９のいずれかに記載のシステム。
［付記項３２］
前記創傷内に位置付けるように構成された前記センサストリップまたはタグの前記部分は、前記創傷の縁に位置付けるように構成される、付記項３１に記載のシステム。
［付記項３３］
前記創傷内に位置付けるように構成された前記センサストリップまたはタグの前記部分は、前記創傷の中央部分に位置付けるように構成される、付記項３１に記載のシステム。
［付記項３４］
前記センサストリップまたはタグは、前記創傷を取り囲む前記領域に位置付けるように構成された前記センサストリップまたはタグの一部を含み、前記センサストリップまたはタグの一部は、前記創傷内に位置付けるように構成される、付記項２７〜２９のいずれかに記載のシステム。
［付記項３５］
前記センサストリングが、前記創傷内に位置付けるように構成される、付記項２７〜２９に記載のシステム。
［付記項３６］
前記センサストリング、センサストリップ、およびセンサタグが、前記創傷を取り囲む、または前記創傷から離れた前記領域に位置付けるように構成されたコンポーネントと通信するように構成される、付記項２７〜３５のいずれかに記載のシステム。
［付記項３７］
前記創傷被覆材が前記創傷に陰圧を伝達するように構成される、付記項２７〜３６のいずれかに記載のシステム。
［付記項３８］
付記項３７に記載の創傷被覆材および前記創傷被覆材に流体接続するよう構成される陰圧源を含む、キット。
［付記項３９］
創傷監視および／または治療システムであって、
創傷と接触して位置付けるように構成された創傷被覆材であって、
一つまたは複数の創傷特性を測定するように構成された複数のセンサを備えたセンサ支持材料であって、前記複数のセンサが前記創傷内または前記創傷を取り囲む領域の少なくとも一つに位置付けるように構成され、前記センサ支持材料は、前記センサ支持材料上に位置付けられた複数のトラックを含む、センサ支持材料を含む、創傷被覆材を含み、
前記センサ支持材料が、少なくとも二つの隣接するトラックの間に位置付けられ、少なくとも二つの隣接するセンサの間に位置付けられ、または少なくとも一つのトラックと少なくとも一つの隣接したセンサとの間に位置付けられる、複数のスリットを備える、創傷監視および／または治療システム。
［付記項４０］
前記センサ支持材料は、前記複数のセンサの少なくとも一つのセンサを含むセンサタグ、ストリップ、またはストリングを含む、付記項３９に記載のシステム。
［付記項４１］
前記複数のスリットの一つのスリットが、前記複数のセンサの一つのセンサの周囲を実質的に囲む、付記項３９〜４０のいずれかに記載のシステム。
［付記項４２］
前記複数のセンサが、少なくとも一つのナノセンサ、サーミスタ、伝導度センサ、ＳｐＯ２センサ、ｐＨセンサ、色センサ、光学センサ、インピーダンスセンサ、または電極を含む、付記項３９〜４１のいずれかに記載のシステム。
［付記項４３］
前記光学センサが、赤、緑、青、および透明（ＲＧＢＣ）センサまたは赤、緑青、および白（ＲＧＢＷ）センサのうちの少なくとも一つを含む、付記項４２に記載のシステム。
［付記項４４］
前記センサストリップまたはタグは、前記創傷を取り囲む前記領域に位置付けるように構成された前記センサストリップまたはタグの一部を含む、付記項４０〜４３のいずれかに記載のシステム。
［付記項４５］
前記センサストリップまたはタグは、前記創傷内に位置付けるように構成された前記センサストリップまたはタグの一部を含む、付記項４０〜４３のいずれかに記載のシステム。
［付記項４６］
前記創傷内に位置付けるように構成された前記センサストリップまたはタグの前記部分は、前記創傷の縁に位置付けるように構成される、付記項４５に記載のシステム。
［付記項４７］
前記創傷内に位置付けるように構成された前記センサストリップまたはタグの前記部分は、前記創傷の中央部分に位置付けるように構成される、付記項４５に記載のシステム。
［付記項４８］
前記センサストリップまたはタグは、前記創傷を取り囲む前記領域に位置付けるように構成された前記センサストリップまたはタグの一部を含み、前記センサストリップまたはタグの一部は、前記創傷内に位置付けるように構成される、付記項４０〜４３のいずれかに記載のシステム。
［付記項４９］
前記センサストリングが、前記創傷内に位置付けるように構成される、付記項４０に記載のシステム。
［付記項５０］
前記センサストリング、センサストリップ、およびセンサタグが、前記創傷を取り囲む、または前記創傷から離れた前記領域に位置付けるように構成されたコンポーネントと通信するように構成される、付記項４０〜４９のいずれかに記載のシステム。
［付記項５１］
前記創傷被覆材が前記創傷に陰圧を伝達するように構成される、付記項３９〜５０のいずれかに記載のシステム。
［付記項５２］
付記項３９に記載の創傷被覆材および前記創傷被覆材に流体接続されるよう構成される陰圧源を含む、キット。
［付記項５３］
前記センサ支持材料内に前記複数のスリットをレーザー切断することを含む、付記項３９に記載の創傷被覆材を製造する方法。
［付記項５４］
付記項１〜１４、２７〜３７、３９〜５１のいずれかに記載の創傷監視および／または治療システムを使用または操作する方法。
［付記項５５］
付記項１〜５４に記載の一つまたは複数の特性を有する創傷監視および／または治療システム。
［付記項５６］
付記項１〜５５に記載の一つまたは複数の特性を有する創傷監視および／または治療システムを使用または操作する方法。